(57)【要約】      （修正有）【課題】ポールへの取り付けが簡単で、風が強い場合であっても旗布が捲れ上がらず、常に旗布の宣伝広告面を通行人の目に晒すことを可能ならしめる幟用ストッパーを提供する。【解決手段】幟のポールを挿通し得る内径を有する筒体２を設け、その上部に、旗布の止め輪を係止するフック状の係止翼片３を一対対称的に設けて成り、筒体２は、その一部を縦方向全長に亘って薄肉化して形成したヒンジ部６を有していて、その部分においてのみつながった２分割状態にされていて、ヒンジ部６を介して開閉可能であって、その閉時において筒状体となって、ポールを包持可能となる。【選択図】図１
0003134736.tif 000002
【実用新案登録請求の範囲】
【請求項１】
幟のポールを挿通し得る内径を有する筒体を設け、その上部に、旗布の止め輪を係止するフック状の係止翼片を一対対称的に設けて成り、前記筒体は、その一部を縦方向全長に亘って薄肉化して形成したヒンジ部を有していてその部分においてのみつながった２分割状態にされていて、前記ヒンジ部を介して開閉可能であって、その閉時において筒状体となって、前記ポールを包持可能となることを特徴とする幟用ストッパー。
【請求項２】
前記係止翼片は、上端部が前記筒体外側面に固定されていて、中間部又はそれより下の部分に湾折曲部が形成され、前記湾折曲部が前記筒体外側面に当接又は近接することを特徴とする請求項１に記載の幟用ストッパー。
【考案の詳細な説明】
【技術分野】
【０００１】
本考案は幟用ストッパー、より詳細には、現在主に店頭等において宣伝広告用に用いられている幟用ポールに簡単に取り付けられ、旗布の捲れ上りを防止する幟用ストッパーに関するものである。
【背景技術】
【０００２】
車の販売展示場、電気製品、スポーツ用品、衣料品等の小売店、あるいは、飲食店その他種々の店舗の店頭に、宣伝広告のための幟が立てられている。この幟は一般に、図４に示されるように、宣伝広告文字等を印刷した縦長の旗布４の一側縁と上縁に多数の止め輪（乳）７、７ａを設け、側縁の止め輪５にベースに立設したポール８を通し、上縁の止め輪７ａに、ポール８上端に水平方向に回転自在に取り付けた横棒（横上）１０を通して構成される。
【０００３】
この幟は自重でポール８に沿って垂れ下がっていて、風を受けると、横棒１０並びに側縁の止め輪７を介してポール８を軸に回転する。しかし、風が強いと、旗布４が風を孕んで捲れ上がり、旗布４の宣伝広告内容が見えない状態になってしまう（図４参照）。そして、一旦そのような状態になったものは、自然には元に戻りにくく、手で引張って直さざるを得ない。
【特許文献１】特開２００５−７７８５４号公報
【特許文献２】実用新案登録第３０３３６７１号公報
【特許文献３】実開昭５８−１４９７７７号公報
【考案の開示】
【考案が解決しようとする課題】
【０００４】
上述したように、従来の宣伝広告用幟の場合は、風が強いと宣伝広告の用をなさない状態となってしまうことがあり、そのような状態になった場合には、それを１つ宛元に戻すのに手間がかかるという欠点があったので、本考案はそのような欠点のない、即ち、ポールへの取り付けが簡単で、風が強い場合であっても旗布が捲れ上がらず、常に旗布の宣伝広告面を通行人の目に晒すことを可能ならしめる幟用ストッパーを提供することを課題とする。
【課題を解決するための手段】
【０００５】
本考案は、幟のポールを挿通し得る内径を有する筒体を設け、その上部に、旗布の止め輪を係止するフック状の係止翼片を一対対称的に設けて成り、前記筒体は、その一部を縦方向全長に亘って薄肉化して形成したヒンジ部を有していてその部分においてのみつながった２分割状態にされていて、前記ヒンジ部を介して開閉可能であって、その閉時において筒状体となって、前記ポールを包持可能となることを特徴とする幟用ストッパー、を以て上記課題を解決した。
【０００６】
好ましくは、前記係止翼片は、上端部が前記筒体外側面に固定されていて、中間部又はそれより下の部分に湾折曲部が形成され、前記湾折曲部が前記筒体外側面に当接又は近接する。
【考案の効果】
【０００７】
本考案は、上述した通りであって、本考案に係る幟用ストッパーは開いた状態で、ポールに当てがった後閉じるだけで、容易にポールの所望部位に取り付け可能で、これを用いれば、旗布は強い風を受けても捲れ上がらず、常時旗布の宣伝広告面を通行人の目に晒しておくことができ、旗布が捲れ上がる度に１つ宛手で引き戻す煩わしさがないという効果がある。
【考案を実施するための最良の形態】
【０００８】
本考案の実施の形態を添付図面に依拠して説明する。本考案に係る幟用ストッパー１は、ポール７を挿通し得る内径を有する、円筒形、角筒形等の筒体２と、筒体２に一対設けられる係止翼片３とから成る。
【０００９】
幟用ストッパー１は、プラスチック、竹、金属等適宜資材製で、強風時において旗布４をせり上げようとする力に十分抗し得て、旗布４に無理な荷重がかからない程度の重量とし、その長さは、通例１０〜１５ｃｍ程度とされる。
【００１０】
筒体２は、縦にその全長に亘って延びる切れ目５と薄肉化して成るヒンジ部６とを有し、ヒンジ部６の部分においてのみつながった２分割状態にされたものである。筒体２を構成する一半部２ａと他半部２ｂは、ヒンジ部６を介して開閉可能であり、筒体２が円筒形の場合は、図１に示すように、一半部２ａと他半部２ｂの端面同士が当接して閉じた状態では断面円形であり、図２に示すように、開いた状態では断面３の字状となる。
【００１１】
係止翼片３は、旗布４の一側縁に縫着される止め輪７を下方から挿入して支持するためのものであって、筒体２の上部に一対、筒体２の外側面から少し離して対称的に配置される。通例、係止翼片３は、上端が固定されるようにして筒体２に一体成形され、中間部又はそれより下の部分に、内方に湾折曲する湾折曲部３ａが形成され、この湾折曲部３ａが筒体２に接触又は近接する。従って、係止翼片３の内側に挿し込まれた止め輪７は、この湾折曲部３ａに押え止められることになる。通例係止翼片３の下端部は、止め輪７の挿入を容易にするために、若干開いた状態にされる。
【００１２】
図３に示すように、旗布４の一側縁に複数設けられる止め輪７には、図示せぬベースに立設されたポール８が挿通され、また、旗布４の上縁に複数設けられる止め輪７ａには、ポール８の上端に挿し込まれた回転子９に水平方向に取り付けられる横棒１０が挿通される。
【００１３】
幟用ストッパー１は１又は複数、旗布４の取付前に、あるいは、取付後に、ヒンジ部６を介して開いた状態でポール８に当てがい、次いで、閉じてポール８を包持させることによって取り付ける。そして、幟用ストッパー１の筒体２を止め輪７内に収め、止め輪７を上げるか幟用ストッパー１を下げるかして、止め輪７を係止翼片３、３と筒体２との間に滑り込ませる。係止翼片３、３には湾折曲部３ａが形成されているので、止め輪７は、係止翼片３、３の内側に確固と係止保持される。
【００１４】
このようにして係止翼片３、３に止め輪７を係止させた後、幟用ストッパー１を離すと、幟用ストッパー１が自重でポール８に沿って下降し、旗布４を引張って無理なく緊張させる。かかる状態において旗布４が強風を受けると、旗布４にこれを捲れ上がらせようとする力が加わるが、幟用ストッパー１が多少上下動しつつ自重でこの動きを抑え、また、回転してその力を逃がす。その結果、旗布４は、ポール８を軸に回転するものの、捲れ上がることなく、その広告機能を発揮し続ける。
【００１５】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１６】
【図１】本考案の一実施形態の閉時を示す斜視図である。
【図２】本考案の実施形態の開時を示す斜視図である。
【図３】本考案に係る幟用ストッパーの使用状態図である。
【図４】従来の幟における問題点を示す図である。
【符号の説明】
【００１７】
１    幟用ストッパー
２    筒体
２ａ  一半部
２ｂ  他半部
３    係止翼片
４    旗布
５    切れ目
６    ヒンジ部
７    止め輪
７ａ  止め輪
８    ポール
９    回転子
１０    横棒
【図１】
0003134736.tif 000003
【図２】
0003134736.tif 000004
【図３】
0003134736.tif 000005
【図４】
0003134736.tif 000006